(57)【要約】【課題】  任意の仕切りを組み込むことで収納エリアを設定できる小物入れ容器において、仕切り部材の連結接続箇所（収納エリアの周壁面の凹凸構造）の範囲を狭くして、接続部位の損傷の確率を低くして、仕切り区画変更機能の耐久性を高める。【解決手段】  蓋付き容器体１と大小複数の仕切り部材２ａ，２ｂ，２ｃとで構成され、仕切り部材が、仕切り板部２１と仕切り板部の両端に仕切り板部の表裏方向に張り出した鍔状の接続部２２とを有する形状とし、容器体の容器部１１の内壁面及び一部仕切り部材の仕切り板部２１の表裏面の上方部分にのみ、上端が開口し且つ内壁面及び表裏面から奥方が拡がっている蟻溝１３，２５を適宜間隔で形成し、仕切り部材の接続部外周面に、前記蟻溝に対応する蟻突条２４を設けてなる。【選択図】  図１
0003104283.tif 000002
【実用新案登録請求の範囲】
【請求項１】
蓋付き容器体と大小複数の仕切り部材とで構成され、仕切り部材が、仕切り板部と仕切り板部の両端に仕切り板部の表裏方向に張り出した鍔状の接続部とを有する形状とし、容器体の容器部内壁面及び一部仕切り部材の仕切り板部の表裏面の上方部分にのみ、上端が開口し且つ内壁面及び表裏面から奥方が拡がっている蟻溝を適宜間隔で形成し、仕切り部材の接続部外周面に、前記蟻溝対応する蟻突条を設けてなることを特徴とする小物入れ容器
【請求項２】
蟻溝及び蟻突条が、容器部内壁面及び仕切り部材の高さの上方１／４以内の範囲に形成してなる請求項１記載の小物入れ容器。
【請求項３】
容器部内壁面及び仕切り部材の仕切り板部の表裏面における蟻溝形成箇所の下方に、仕切り部材を装着した際、接続部の表裏端面が当接嵌合する扁平な保持突部を設けてなる請求項２記載の小物入れ容器。
【請求項４】
保持突部が、容器部内壁面及び仕切り部材の高さの下方１／４以内の範囲に形成してなる請求項３記載の小物入れ容器。
【請求項５】
容器部内壁面の下方を４５度の傾斜面とし、仕切り部材の下塩に足部を設けると共に、当該足部の上面を前記傾斜面と一致する傾斜面に形成し、当該傾斜面に保持突部を設けてなる請求項４記載の小物入れ容器。
【請求項６】
容器部に仕切りを形成する内壁面を有せずに、仕切り部材が蟻溝を有して且つ容器部の対向面間に対応する長さを有する長尺仕切り部材と、蟻溝を有している中尺仕切り部材と、蟻溝を有しない短尺仕切り部材で構成されている請求項１乃至５記載のいずれかの小物入れ容器。
【請求項７】
仕切り部材の表裏の蟻溝が連通している請求項１乃至６記載のいずれかの小物入れ容器。
【請求項８】
仕切り部材の表裏の蟻溝が薄膜状の仕切り部で仕切られている請求項１乃至６記載のいずれかの小物入れ容器。
【考案の詳細な説明】
【技術分野】
【０００１】
本考案は各種機械部品や電気部品等を区分けして収納する小物入れ容器に関するものである。
【背景技術】
【０００２】
各種の部品は、使い易いように各種別に区分けして収納しておくと便利である。このため従前から細かく区分けされた容器が使用されている。しかし区分けが一定していると収納部品の大きさに対応することができないので、任意の仕切りを形成できる収納容器が提案されている。
【０００３】
例えば登録実用新案第３０３２７３０号公報（特許文献１）には、容器内壁面や仕切り側壁面に連続する縦凹凸条を形成してなり、仕切り板部と仕切り板部の両端に設けた鍔状の接続部とを有し、且つ接続部に接続用の縦凹凸条を設けた仕切り部材を備え、縦凹凸状の嵌合によって所望位置に仕切部材を装着し、任意の区分けがなされるようした容器が開示されている。
【０００４】
また登録実用新案第３０６９１０９号公報（特許文献２）には、容器内壁面や仕切り側壁面に連続する奥方が広がっている蟻溝の縦凹凸条を形成してなり、仕切り板部と仕切り板部の両端に設けた鍔状の接続部とを有し、且つ接続部に接続用の縦蟻突条を設けた仕切り部材を備え、蟻溝への蟻突条の嵌合によって所望位置に仕切部材を装着し、任意の区分けがなされた容器が開示されている。
【０００５】
【特許文献１】登録実用新案第３０３２７３０号公報
【特許文献２】登録実用新案第３０６９１０９号公報
【考案の開示】
【考案が解決しようとする課題】
【０００６】
ところで前記した仕切り部材を装着して任意の区分けを行う容器は、仕切り部材の装着をなす縦凹凸条が、収納部品との接触（運搬時の擦れ、取り出し時の引っ掛け）によって傷付けられ易いし、この結果一部でも縦凹凸条の形状が変化してしまうと、当該箇所での仕切り部材の装着が困難となる。また仕切り部材の接続面の凹凸条や蟻突条においても同様で、僅かな損傷で装着不能となる。
【０００７】
特に前記した公知容器は、容器側の縦凹凸条は、壁面の上下一杯で且つ左右全部に形成しているので、傷が付く確率が高いし、また仕切り部材の接続部位も大きく、やはり傷付く確率が高い。即ち仕切り区画変更の耐久性に欠けるという問題がある
【０００８】
そこで本考案は、収納箇所の周壁面の凹凸を少なくし、接続部位の損傷の確率を低くして、仕切り区画変更機能の耐久性を高めた新規な容器を提案したものである。
【課題を解決するための手段】
【０００９】
本考案に係る小物入れ容器は、蓋付き容器体と大小複数の仕切り部材とで構成され、仕切り部材が、仕切り板部と仕切り板部の両端に仕切り板部の表裏方向に張り出した鍔状の接続部とを有する形状とし、容器体の容器部内壁面及び一部仕切り部材の仕切り板部の表裏面の上方部分にのみ、上端が開口し且つ内壁面及び表裏面から奥方が拡がっている蟻溝を適宜間隔で形成し、仕切り部材の接続部外周面に、前記蟻溝対応する蟻突条を設けてなることを特徴とするものである。
【００１０】
従って仕切り部材の蟻突条を容器部の内壁面（仕切り壁面も含む）の蟻溝に挿入して、仕切り部材で収納区画を形成したり、装着した仕切り部材と内壁間や、仕切り部材間に仕切り部材を装着して、所望の仕切り区画を形成できる。しかも形成される仕切り区画の側面は、上方の蟻溝が凹んでいるだけで、凹凸の範囲が従前容器より少なくなっている。
【００１１】
また本考案（請求項２）は、前記の容器において、蟻溝及び蟻突条が、容器部内壁面及び仕切り部材の高さの上方１／４以内の範囲に形成してなるもので、これによって、下方の３／４の範囲は平面状となる。
【００１２】
また本考案（請求項３）は、容器部内壁面及び仕切り部材の仕切り板部の表裏面における蟻溝形成箇所の下方に、仕切り部材を装着した際、接続部の表裏端面が当接嵌合する扁平な保持突部を設けてなるもので、これによって装着した仕切り部材のガタツキがより以上防止されて、しっかりとした仕切りを形成できる。
【考案の効果】
【００１３】
本考案は、以上の構成を採用した容器で、収納箇所の周壁面（容器内壁面及び仕切り部材の表裏面）は、上方の蟻溝部分のみが凹凸形状となり、凹凸部分の占める割合が従前容器に比較して少なくなるので、収納部品との摩擦による接続部位の損傷の確率が低くなり、仕切り区画（収納エリア）変更機能の耐久性が高められたものである。
【考案を実施するための最良の形態】
【００１４】
次に本考案の実施形態について説明する。実施形態に示した小物入れ容器は、容器本体１と、複数の第一仕切り部材２ａ、第二仕切り部材２ｂ及び第三仕切り部材２ｃとで構成される。
【００１５】
容器部本体１は、樹脂の型成形で形成される容器部１１と開閉蓋１２からなり、容器部１１の内周壁全面には、所定間隔で蟻溝１３及び保持突部１４が設けられている。また容器部１１の内壁面と底面との境界部分は斜度４５度の傾斜面１５としている。
【００１６】
また開閉蓋１２は、その一縁を容器部１１と蝶結して開閉自在とし、且つ蝶結部分の反対側縁の容器部１１及び開閉蓋１２に掛け止め部１６，１７を設けてなる。
【００１７】
蟻溝１３は、容器部内壁面の上方部分１／４以内の高さ範囲にのみ、上端が開口し且つ表面側から奥方が拡がっている形状で、一定の適宜間隔で形成しているものである。
【００１８】
また保持突部１４は、扁平な突出形状で、容器部１１の内壁面の蟻溝形成箇所の下方に、蟻溝形成位置を挟むように設けたもので（隣接蟻溝分と兼ねる）、後述する仕切り部材２を装着した際、仕切り部材２の接続部２２の表裏端面が当接嵌合するように設けたものである。またその高さ位置は、容器部１１の内壁面の下方１／４以内の範囲に形成すると良いが、特に図示した例の通り前記傾斜面１５に形成すると、内壁面の凹凸面が占める範囲が少なくなる。
【００１９】
仕切り部材２は、第一仕切り部材２ａ、第二仕切り部材２ｂ及び第三仕切り部材２ｃの３種類があり、第一仕切り部材２ａは、少なくとも容器部１１の内壁間の長さを有する長尺部材で、第二仕切り部材２ｂは、蟻溝間隔の整数倍の長さの中尺部材で、第三仕切り部材２ｃも蟻溝間隔の整数倍の長さとした短尺部材である。
【００２０】
仕切り部材２は、仕切り板部２１と接続部２２を有し、接続部２２は、仕切り板部２１の両端に仕切り板部２１と直交する鍔状に設けてなり、特に仕切り板部２１の下方部分まで連続させて足部２３とし、接続部２２と足部２３の角を４５度の傾斜面に形成し、更に接続部２２と足部２３も、仕切り板部２１の端縁から４５度の傾斜面としてなる。
【００２１】
更に仕切り部材２の接続部２２の外周面には、容器部１１に形成した蟻溝１３と対応する蟻突条２４を設けてなる
【００２２】
また第一仕切り部材２ａ及び第二仕切り部材２ｂの上方表裏面には、容器部１１の内壁に設け蟻溝１３と同一形状で且つ同一間隔に、蟻溝２５を設けてなる。尚表裏の蟻溝２５は連通しても良いし、図５に例示したように薄膜状の仕切り部２６で仕切っていても良い。特に仕切り部２６を設けた場合には、隣接する収納エリアが完全に遮断される利点がある。
【００２３】
更に第一仕切り部材２ａ及び第二仕切り部材２ｂの下方部分（足部２３の傾斜面）には、容器部１１の内壁面に設けた保持突部１４と同一形状の保持突部２７を設けてなる。
【００２４】
しかして容器部１１内の内壁面の蟻溝１３に、第一仕切り部材２ａの蟻突条２４を嵌合して第一仕切り部材２ａを容器部１１内に装着する。更に第一仕切り部材２ａ、第二仕切り部材２ｂ及び第三仕切り部材２ｃを適宜使用して、蟻溝１３，２５と、蟻突条２４の嵌合連結で、各仕切り部材２で容器部１１内を仕切り、所望の大きさの収納エリアＡに区分するものである。
【００２５】
特に前記の仕切り部材２の装着に際して、上部において蟻溝１３，２５と蟻突条２４とが嵌合され、下部においては保持突部１４，２７の間に接続部２２が嵌合され、更に仕切り部材２が足部２３を備えるので、仕切り部材２は安定した装着状態が維持されることになる。
【００２６】
また容器部１１の内壁面及び仕切り部材２の仕切り板部２１は、上下の各々１／４以下の範囲での嵌合構造を採用しているもので、１／２以上が平滑面となる。このため収納部品との摩擦による嵌合構造箇所の損傷が、従前容器に比較して１／２以下の確率となり、耐久性を高め、商品寿命を長くしたものである。更に下方の傾斜面に保持突部を形成すると、平滑面面積が更に広くなる。
【図面の簡単な説明】
【００２７】
【図１】本発明の実施形態の全体斜視図。
【図２】同仕切り部材の斜視図。
【図３】同装着状態を示す説明図（平面図）。
【図４】同装着状態を示す説明図（内部正面図）。
【図５】同仕切り部材の変形例の説明図。
【符号の説明】
【００２８】
１          容器部本体
１１        容器部
１２        開閉蓋
１３        蟻溝
１４        保持突部
１５        傾斜面
１６，１７  掛け止め部
２          仕切り部材
２ａ        第一仕切り部材
２ｂ        第二仕切り部材
２ｃ        第三仕切り部材
２１        仕切り板部
２２        接続部
２３        足部
２４        蟻突条
２５        蟻溝
２６        仕切り部
２７        保持突部
【図１】
0003104283.tif 000003
【図２】
0003104283.tif 000004
【図３】
0003104283.tif 000005
【図４】
0003104283.tif 000006
【図５】
0003104283.tif 000007